(57)【要約】【課題】マグネットにより、表表紙と裏表紙とを対向させた閉姿勢でロックできるファイルにおいて、ファイルの閉姿勢でのロック解除操作をスムーズに行うことができるファイルを提供することを課題としている。【解決手段】表表紙１ａ及び裏表紙１ｂを有する表紙部１と、表表紙１ａ及び裏表紙１ｂが開閉可能に連結される背表紙部２と、表表紙１ａと裏表紙１ｂとが互いに対向するように折畳まれた閉姿勢をロックするマグネット部４とを備えたファイルにおいて、上記表紙部１が閉じられた状態で表表紙１ａ及び裏表紙１ｂの一方を他方に対してずれるようにスライドさせる解除操作によって、マグネット部４による上記ロックが解除されるように構成された。【選択図】図６
2017213764.tif 000002
【特許請求の範囲】
【請求項１】
表表紙（１ａ）及び裏表紙（１ｂ）を有する表紙部（１）と、
表表紙（１ａ）及び裏表紙（１ｂ）が開閉可能に連結される背表紙部（２）と、
表表紙（１ａ）と裏表紙（１ｂ）とを、互いに対向するように折畳まれた閉姿勢でロックするマグネット部（４）とを備えたファイルにおいて、
前記表紙部（１）が閉じられた状態で表表紙（１ａ）及び裏表紙（１ｂ）の一方を他方に対してずれるようにスライドさせる解除操作によって、マグネット部（４）による上記ロックが解除されるように構成された
ことを特徴とするファイル。
【請求項２】
前記背表紙部（２）には、解除操作の操作を行う解除操作部（８）が設けられた
請求項１に記載のファイル。
【請求項３】
前記解除操作部（８）は、背表紙部（２）の左右両端に設けられており、一対の解除操作部（８，８）が互いに近接する側に傾斜された
請求項２に記載のファイル。
【請求項４】
前記マグネット部（４）は、閉姿勢の表表紙（１ａ）及び裏表紙（１ｂ）を、開閉端側の内面側でロックするように設けた
請求項１乃至３の何れかに記載のファイル。
【請求項５】
前記マグネット部（４）は、閉姿勢の表表紙（１ａ）と裏表紙（１ｂ）とを、一方側の表紙部（１）の外面側でロックするように設けた
請求項１乃至３の何れかに記載のファイル。
【請求項６】
前記表紙部（１）は、板状の発泡スチロールを芯材（１３）として設けた積層構造とした
請求項１乃至５の何れかに記載のファイル。
【請求項７】
前記芯材（１３）に形成した収容部（１３ａ）にマグネット（６）を収容することにより、前記マグネット部（４）を形成した
請求項６に記載のファイル。
【請求項８】
前記表紙部（１）は、左右外側の面に、芯材（１３）よりもクッション性の高いクッション層を形成した
請求項６又は７の何れかに記載のファイル。
【発明の詳細な説明】
【技術分野】
【０００１】
本発明は、表紙部を閉姿勢でロックできるファイルに関する。
【背景技術】
【０００２】
表表紙及び裏表紙を有する表紙部と、表表紙及び裏表紙が連結部を介してそれぞれ連結される背表紙部と、表表紙と裏表紙とが互いに対向するように折畳まれた閉姿勢で、表表紙及び裏表紙が互いに吸着させることにより、該閉姿勢をロックするマグネット部とを備え、閉姿勢の表表紙と裏表紙との間に書類が収容された場合であっても、書類の重さによって一方側の表紙部がずれることがないように、閉姿勢でロックすることができる特許文献１に記載のファイルが従来公知である。
【先行技術文献】
【特許文献】
【０００３】
【特許文献１】特開２００５−２１２３０７号公報
【発明の概要】
【発明が解決しようとする課題】
【０００４】
上記文献のファイルは、裏表紙の開閉端側に表表紙の端部側と当接する帯状の当接部を延設し、該当接部と、表表紙の開閉端側とをマグネットで吸着することにより、表紙部を閉姿勢でロックできるものであるが、閉姿勢でロックされたファイルを開くためには、作業者は、両手を使ってマグネットによる当接部と表表紙の端部側との吸着を解除する必要があり、ファイルのロック解除に手間がかかる場合があるという課題があった。
【０００５】
本発明では、マグネットにより、表表紙と裏表紙とを対向させた閉姿勢でロックできるファイルにおいて、ファイルの閉姿勢でのロック解除操作をスムーズに行うことができるファイルを提供することを課題としている。
【課題を解決するための手段】
【０００６】
上記課題を解決するために本発明は、第１に、表表紙１ａ及び裏表紙１ｂを有する表紙部１と、表表紙１ａ及び裏表紙１ｂが開閉可能に連結される背表紙部２と、表表紙１ａと裏表紙１ｂとが互いに対向するように折畳まれた閉姿勢をロックするマグネット部４とを備えたファイルにおいて、前記背表紙部２は、上記表紙部１が閉じられた状態で表表紙１ａ及び裏表紙１ｂの一方を他方に対してずれるようにスライドさせる解除操作によって、マグネット部４による上記ロックが解除されるように構成されたことを特徴としている。
【０００７】
第２に、前記背表紙部２には、解除操作の操作を行う解除操作部８が設けられたことを特徴としている。
【０００８】
第３に、前記解除操作部８は、背表紙部２の左右両端に設けられており、一対の解除操作部８，８が互いに近接する側に傾斜されたことを特徴としている。
【０００９】
第４に、前記マグネット部４は、表表紙１ａと裏表紙１ｂとを開閉端側でロックするように設けたことを特徴としている。
【００１０】
第５に、前記マグネット部４は、閉姿勢の表表紙１ａと裏表紙１ｂとを、一方側の表紙部１の外面側でロックするように設けたことを特徴としている。
【００１１】
第６に、前記表紙部１は、板状の発泡スチロールを芯材１３として設けた積層構造としたことを特徴としている。
【００１２】
第７に、前記芯材１３に形成した収容部１３ａにマグネット６を収容することにより、前記マグネット部４を形成したことを特徴としている。
【００１３】
第８に、前記表紙部１は、左右外側の面に、芯材１３よりもクッション性の高いクッション層を形成したことを特徴としている。
【発明の効果】
【００１４】
前記表紙部は、閉姿勢で対向配置された表表紙と裏表紙とをずらすようにスライドさせる解除操作をすることにより、マグネット部によるロックを解除できるため、マグネット部による吸着を直接力任せに分離させるものと比較して、解除操作をスムーズ且つ容易に行うことができる。
【００１５】
また、前記背表紙部には、解除操作の操作を行う解除操作部が設けられたものによれば、解除操作を行うための操作部を別途に形成する必要がないため、コストを低く抑えることができる。
【００１６】
また、前記解除操作部は、背表紙部の左右両端に設けられており、一対の解除操作部が互いに近接する側に傾斜されたものによれば、一対の解除操作部を片手で摘むように把持し易くなるため、閉姿勢からの解除操作をより容易に行うことができる。
【００１７】
なお、前記マグネット部は、閉姿勢の表表紙及び裏表紙を、開閉端側の内面側でロックするように設けたものによれば、閉姿勢で対向配置される表表紙と裏表紙とをスライドさせて位置関係をずらすことによって、容易にマグネットによるロックを解除させることができる。
【００１８】
前記マグネット部は、閉姿勢の表表紙と裏表紙とを、一方側の表紙部の外面側でロックするように設けたものによれば、表紙部の一方側が、表紙部の他方側の端部を挟持するように延設されて、閉姿勢時に、開閉端側を覆うようにして閉じるものであっても、閉姿勢のロック・ロック解除をスムーズに行うことができる。
【００１９】
また、前記表紙部は、板状の発泡スチロールを芯材として設けた積層構造としたものによれば、表紙部に剛性を持たせつつ、ファイル全体を軽量化できる。
【００２０】
また、前記芯材に形成した収容部にマグネットを収容することにより、前記マグネット部を形成したものによれば、マグネット部が表紙部内に収容される。
【００２１】
なお、前記表紙部は、左右外側の面に、芯材よりもクッション性の高いクッション層を形成したものによれば、ファイルの表紙部間に収容された収容物が外力によって破損することを効率的に防止できる。
【図面の簡単な説明】
【００２２】
【図１】本発明のファイルを示す全体斜視図である。
【図２】ファイルの平面図である。
【図３】ファイルの正面図である。
【図４】Ａ−Ａ断面図である。
【図５】解除操作部を示した表紙部の要部平面図である。
【図６】解除操作部によるロック解除操作を示した表紙部の要部平面図である。
【図７】ファイルの開状態を示した平面図である。
【図８】（Ａ）及び（Ｂ）は、マグネット部の別実施例を示した正面図である。
【図９】本発明を適用したファイルの別実施例のモデルを示した平面図である。
【発明を実施するための形態】
【００２３】
以下、本発明を適用したファイルについて説明する。図１は、本発明のファイルを示した全体斜視図であり、図２（Ａ）及び（Ｂ）は、ファイルの開閉を示した平面図である。図より、本ファイルは、表表紙１ａ及び裏表紙１ｂを有する表紙部１と、表表紙１ａと裏表紙１ｂとが開閉可能に連結される背表紙部２とを備えている。
【００２４】
前記表紙部１は、方形状に形成された表表紙１ａと、裏表紙１ｂとからなり、０．５ｍｍ〜１０ｍｍ程度の厚みと、一定の弾力性と剛性を有する素材によって形成されている。また、該表紙部１は、単一の素材に限られず、複数の素材を積層したものであっても良い。該表紙部の具体的な構成例については後述する。
【００２５】
また、該表表紙１ａ及び裏表紙１ｂは、互いが対向するように前記背表紙部２を介して二つに折畳まれた閉姿勢に切換られるように連結されている。また、該表表紙１ａ及び裏表紙１ｂには、閉姿勢の際に他方側の表紙と対向する内面側に設けた内ポケット３と、表表紙１ａと裏表紙１ｂとを閉姿勢で保持（ロック）するマグネット部４とを有している。
【００２６】
上記内ポケット３は、図１に示されるように、表表紙と裏表紙の内面側に、背表紙側と反対の端部となる開閉端側の半部を覆うシート体である、ポケットカバー３ａが取付けられて構成されている（図１参照）。
【００２７】
具体的に説明すると、前記ポケットカバー３ａは、ヒートシールその他の手法により、表紙部１（表表紙、裏表紙）内側の開閉端側の全体と、上下端側とがコ字状に表紙部内面側に溶着されることによって、ポケットカバー３ａの背表紙側端部が開口部３ｂとなる内ポケット３が形成されている（図１及び図４参照）。
【００２８】
該構成の内ポケット３によれば、前記開口部３ｂから印刷物その他のシート状のものが表紙部１の内面に沿って差込み収容できる構造になっている。
【００２９】
上記マグネット部４は、図２及び図３に示されるように、開閉端側の上側に配置され、閉姿勢に切換えられた表表紙１ａと、裏表紙１ｂとが互いが吸着するように設けられた一対のマグネット６，６により構成されており、一対のマグネット６，６が引合う力によって、ファイルの閉姿勢が保持（ロック）されるように構成されている。
【００３０】
具体的に説明すると、該マグネット部４は、表紙部１に内装される一対のマグネット６，６（磁石）によって構成されており、表紙部１の一方側に、内側にＮ極を向けた状態のマグネット６が内装され、表紙部１の他方側に、内側にＳ極を向けた状態のマグネット６が内装されている。なお、該マグネット部４は、表紙部１の一方側にマグネット６を内装し、表紙部１の他方側にマグネット６を引寄せる素材（鉄等）からなる吸着体を内装した構成としても良い。マグネット６を表紙部１内に内装する具体的な構成については後述する。
【００３１】
前記背表紙部２は、外面側に見出し等を設けることができる背表紙１０と、該背表紙１０の内面側に取付けられて、捲り開き可能に設置される複数の袋状シート７と、該背表紙１０の左右両端に設けられて前記マグネット部４により閉姿勢でロックされた表紙部１（ファイル）のロックを解除するロック解除操作（解除操作）を実行するための解除操作部８とを有している。
【００３２】
上記袋状シート７は、全体が０．１ｍｍ程度の厚みのポリプロピレン等からなる透明なプラスチックフィルムからなり、背表紙部２側となる左右端、若しくは上端側に開口部を有し、該開口部以外の各辺をヒートシールすることで袋状に形成されている。これにより、印刷物その他のシート状又は冊子状の書類が、開口部より挿脱収納される。
【００３３】
また、各袋状シート７は、見開き状態で左側用と右側用が１枚のフィルム芯材で連設されるように一体形成されており、その左右の表裏の両側に別のシート材を被せるように一対の袋状部が形成されている。そして一対の袋状シートが複数枚重ね合わされて、その中央でフィルム本体の背表紙裏側にヒート圧着されている。
【００３４】
上記解除操作部８は、背表紙１０（背表紙部２）の左右両端側が平面視で互いに近接する方向に傾斜する操作面（傾斜面）であって、その背表紙１０側には、該操作面が形成されるように屈曲するための第１ヒンジ部１１が設けられ、その表紙部１側には、前記表表紙１ａ又は裏表紙１ｂを開閉可能に連結する第２ヒンジ部１２が設けられている（図２等参照）。
【００３５】
特に、一対の該解除操作部８，８（操作面）は、使用者が摘むようにして把持可能に形成されており、傾斜している該解除操作部８を押し（又は引き）操作することで、閉姿勢でロックされた表紙部１のロックを解除することができる。該解除操作部８を用いたロック解除操作の具体例については、後述する。
【００３６】
すなわち、前記背表紙部２は、その両端側の解除操作部８，８が第１ヒンジ部１１によって屈曲されることによって、全体が平面視で三角形状（台形状）に形成されている。また、その解除操作部８の端部側に配置された一対の第２ヒンジ部を介して、表表紙１ａ及び裏表紙１ｂ（表紙部）が開閉可能に連結されている（図１及び図２参照）。
【００３７】
次に、図４に基づいて、表紙部の構造について説明する。図４は、表紙部の断面形状を示したＡ−Ａ断面図である。
【００３８】
前記表紙部１は、図示されるように、発泡スチロールを方形板状にカットして用いられる厚さ２〜３ｍｍ程度の芯材１３と、該芯材１３の内面側に配置される厚さ１ｍｍ程度の画用紙等からなる内面層１４と、芯材１３の外面側に配置されるポリエチレン等からなるクッション層１６と、芯材１３とクッション層１６との間に配置された仕切用の紙（以下、仕切層１７）とを重ねることで積層体を構成し、該積層体をシート状のビニール体１８で外装することによって形成されている。
【００３９】
このとき、該ビニール体１８は、外面側をカバーする外カバー体１８ａと、内面側をカバーする内カバー体１８ｂとで挟むようにして積層体全体をカバーし、表紙部１の外周面側の固定部１８ｃに沿って両カバー体をヒートシール等によって固着することによって積層体を外装する。このとき、該固定部１８ｃに前記ポケットカバー３ａも取付けられる（図４参照）。
【００４０】
また、前記芯材１３として用いた発泡スチロールには、前記マグネット６が埋め込まれるようにして収容される収容孔１３ａ（収容部）が形成されている。このとき、芯材１３に形成された収容孔１３ａは、マグネット６が収容された状態で、前記内面層１４と、前記仕切層１７とによって塞がれている。これにより、マグネット６は、芯材１３の収容部１３ａ内に収容されたうえで、ビニール体１８によって外装されるため、表紙部１の外周面からは視認されず、触ってもマグネット６の位置を確認し難くなる。
【００４１】
該構成の表紙部１によれば、芯材１３として方形状板状の発泡スチロールを用いたことによって、容易且つ安価に剛性を確保できるとともに、ファイル全体を軽量化することができる。また、該表紙部１は、芯材１３の外面側にクッション層１６を設けたことにより、ファイルに収容された収容物に傷がついたり、外力によって破損したりする事態を効率的に防止できる。
【００４２】
さらに、該表紙部１は、その外周面がビニール体１８によって外装されるため、色やデザインの変更や、表面へのエンボス加工等を容易且つ安価に行うことができる。
【００４３】
次に、図５乃至図７に基づいて、前記マグネット部によって閉姿勢でロックされたファイルのロック解除操作について説明する。図５は、解除操作部を示した表紙部の要部平面図であり、図６は、解除操作部によるロック解除操作を示した表紙部の要部平面図であり、図７は、ファイルの開状態を示した平面図である。
【００４４】
図５に示されるように、前記背表紙部２は、その両端側が前記第１ヒンジ部１１で屈曲されることで互いが近接する側に傾斜した解除操作部８，８が形成されているため、使用者は、両端が折り曲げられて平面視で三角形状に形成された背表紙部２を片手で摘むように把持することができ、解除操作部８の一方側（又は両方側）を押し（又は引き）操作することによって、表表紙１ａ又は裏表紙１ｂの一方側（若しくは両方）を、前記閉姿勢時の対向状態を保ったままずらすようにスライドさせる、ロック解除操作をすることができる。
【００４５】
該ロック解除操作がされると、前記ファイルは、背表紙部２の第１ヒンジ部１１の一方側を折目として二つ折にされたロック解除状態に切換えられる。言い換えると、該ロック解除操作がされると、前記背表紙部２は、左右の第１ヒンジ部１１，１１が屈曲された平面視三角形状から、一方側の第１ヒンジ部１１で折り曲げられた二つ折状となるロック解除状態に切換えられる（図６参照）。
【００４６】
これにより、図６に示されるように、ロック解除操作がされてロック解除状態に切換えられると、表表紙１ａ及び裏表紙１ｂは、その一方側（折目となった第１ヒンジ部１１を有する解除操作部８に連結された側の表紙部１）が、対向状態を保持したまま背表紙部２側へとスライド移動する。これによって、表表紙１ａ及び裏表紙１ｂの開閉端側に設けられた前記マグネット６，６は、前記閉姿勢によって、互いに吸引する力が作用していた位置（ロック位置）から、互いに吸引する力が作用しない位置（ロック解除位置）へと移動されるため、前記マグネット部４によるロックが解除される。
【００４７】
ちなみに、表表紙１ａと裏表紙１ｂに内装された一対のマグネット６，６は、互いを吸着させる方向の力は作用するところ、表紙部１のスライド操作を阻害する力は作用しないため、使用者は、前記解除操作部８によるロック解除操作に大きな操作力を必要とせず、スムーズにロック解除操作を行うことができる。
【００４８】
以上より、前記マグネット部４による閉姿勢のロック状態が解除されると、ファイルを閉姿勢で保持する力がなくなるため、表紙部１の開操作をスムーズに行うことができる（図７参照）。
【００４９】
次に、図８に基づいて、本ファイルの別実施例について、上述と異なる点について説明する。図８（Ａ）及び（Ｂ）は、マグネット部の別実施例を示した正面図である。
【００５０】
前記マグネット部４は、図示されるように、表表紙１ａ及び裏表紙１ｂの開閉端側の上下にそれぞれマグネット６，６を配置した構成であっても、表表紙１ａ及び裏表紙１ｂの開閉端側の上下方向に亘って延設された帯状のマグネット１９を配置した構成であっても良い。
【００５１】
該構成によれば、表表紙１ａと裏表紙１ｂを閉じた閉姿勢でのロックをより強固にできるため、より重いものを収容した場合であっても閉姿勢を維持できる。また、この例であっても、前記解除操作部８を用いて一方側の表紙部１をスライド操作することによって、マグネット部４によるロックは解除されるため、ロック解除操作は同様にスムーズに行うことができる。
【００５２】
次に、図９に基づいて、本ファイルの別実施例について、上述と異なる点について説明する。図９は、本発明を適用したファイルの別実施例のモデルを示した平面図である。
【００５３】
図示されるように、本ファイルは、表表紙１ａ及び裏表紙１ｂを有する表紙部１と、表表紙１ａと裏表紙１ｂとが開閉可能に連結される背表紙部２と、前記表紙部１が閉じられた状態で表表紙１ａが裏表紙１ｂを挟むことができるように開放端側が延設された延設部２０とを備え、該延設部２０の開閉端側と、裏表紙１ｂの外面側とが互いに吸着されることで閉姿勢をロックする前記マグネット部４とが設けられている。
【００５４】
具体的に、前記延設部２０は、表表紙１ａと裏表紙１ｂとの開放端側を覆うカバー部２１と、裏表紙１ｂを挟むようにして裏表紙１ｂの外面側と対向する挟持部２２と、該カバー部２１の両端側で、表表紙１ａ及び延設部２２とを回動可能に連結するヒンジ部２３，２３とから構成されている。
【００５５】
該構成のファイルにおいても同様に、前記解除操作部８を介して前記ロック解除操作をすることにより、マグネット部４の吸着力による延設部２０（挟持部２２）と裏表紙１ｂ側とのロックが解除される。
【００５６】
なお、前記延設部２０は、図示する例では、裏表紙１ｂの中途部まで延設されているが、裏表紙１ｂの開閉端側近傍まで短くしても、裏表紙１ｂの背表紙部２側まで長くしても良い。さらに、該延設部２０は、裏表紙１ｂの開放端側を延設することによって形成し、該延設部２０で、表表紙１ａを裏表紙１とともに挟むような構成としても良い（図示しない）。
【符号の説明】
【００５７】
１ａ  表表紙
１ｂ  裏表紙
１    表紙部
２    背表紙部
４    マグネット部
６    マグネット
８    解除操作部
１３    芯材
１３ａ  収容部
【図１】
2017213764.tif 000003
【図２】
2017213764.tif 000004
【図３】
2017213764.tif 000005
【図４】
2017213764.tif 000006
【図５】
2017213764.tif 000007
【図６】
2017213764.tif 000008
【図７】
2017213764.tif 000009
【図８】
2017213764.tif 000010
【図９】
2017213764.tif 000011
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
表表紙（１ａ）及び裏表紙（１ｂ）を有する表紙部（１）と、
表表紙（１ａ）及び裏表紙（１ｂ）が開閉可能に連結される背表紙部（２）と、
表表紙（１ａ）と裏表紙（１ｂ）とを、互いに対向するように折畳まれた閉姿勢でロックするマグネット部（４）とを備えたファイルにおいて、
前記表紙部（１）が閉じられた状態で表表紙（１ａ）及び裏表紙（１ｂ）の一方を他方に対してずれるようにスライドさせる解除操作によって、マグネット部（４）による上記ロックが解除されるように構成され、
前記背表紙部（２）の左右両端側に、上記解除操作を行う解除操作部（８）を設け、一対の解除操作部（８，８）を互いに近接する側に傾斜させた
ことを特徴とするファイル。
【請求項２】
表表紙（１ａ）及び裏表紙（１ｂ）を有する表紙部（１）と、
表表紙（１ａ）及び裏表紙（１ｂ）が開閉可能に連結される背表紙部（２）と、
表表紙（１ａ）と裏表紙（１ｂ）とを、互いに対向するように折畳まれた閉姿勢でロックするマグネット部（４）とを備えたファイルにおいて、
前記表紙部（１）が閉じられた状態で表表紙（１ａ）及び裏表紙（１ｂ）の一方を他方に対してずれるようにスライドさせる解除操作によって、マグネット部（４）による上記ロックが解除されるように構成され、
前記表紙部（１）は、少なくとも板状の発泡スチロールからなる芯材（１３）と、該芯材（１３）よりもクッション性の高いクッション層（１６）とを備えた積層構造とし、
前記芯材（１３）に形成した収容部（１３ａ）にマグネット（６）を収容することにより、前記マグネット部（４）を形成した
ことを特徴とするファイル。
【請求項３】
前記マグネット部（４）は、閉姿勢の表表紙（１ａ）及び裏表紙（１ｂ）を、開閉端側の内面側でロックするように設けた
請求項１又は２の何れかに記載のファイル。
【請求項４】
前記マグネット部（４）は、閉姿勢の表表紙（１ａ）と裏表紙（１ｂ）とを、一方側の表紙部（１）の外面側でロックするように設けた
請求項１又は２の何れかに記載のファイル。
【手続補正２】
【補正対象書類名】明細書
【補正対象項目名】全文
【補正方法】変更
【補正の内容】
【発明の詳細な説明】
【技術分野】
【０００１】
本発明は、表紙部を閉姿勢でロックできるファイルに関する。
【背景技術】
【０００２】
表表紙及び裏表紙を有する表紙部と、表表紙及び裏表紙が連結部を介してそれぞれ連結される背表紙部と、表表紙と裏表紙とが互いに対向するように折畳まれた閉姿勢で、表表紙及び裏表紙が互いに吸着させることにより、該閉姿勢をロックするマグネット部とを備え、閉姿勢の表表紙と裏表紙との間に書類が収容された場合であっても、書類の重さによって一方側の表紙部がずれることがないように、閉姿勢でロックすることができる特許文献１に記載のファイルが従来公知である。
【先行技術文献】
【特許文献】
【０００３】
【特許文献１】特開２００５−２１２３０７号公報
【発明の概要】
【発明が解決しようとする課題】
【０００４】
上記文献のファイルは、裏表紙の開閉端側に表表紙の端部側と当接する帯状の当接部を延設し、該当接部と、表表紙の開閉端側とをマグネットで吸着することにより、表紙部を閉姿勢でロックできるものであるが、閉姿勢でロックされたファイルを開くためには、作業者は、両手を使ってマグネットによる当接部と表表紙の端部側との吸着を解除する必要があり、ファイルのロック解除に手間がかかる場合があるという課題があった。
【０００５】
本発明では、マグネットにより、表表紙と裏表紙とを対向させた閉姿勢でロックできるファイルにおいて、ファイルの閉姿勢でのロック解除操作をスムーズに行うことができるファイルを提供することを課題としている。
【課題を解決するための手段】
【０００６】
上記課題を解決するために本発明は、第１に、表表紙１ａ及び裏表紙１ｂを有する表紙部１と、表表紙１ａ及び裏表紙１ｂが開閉可能に連結される背表紙部２と、表表紙１ａと裏表紙１ｂとが互いに対向するように折畳まれた閉姿勢をロックするマグネット部４とを備えたファイルにおいて、前記背表紙部２は、上記表紙部１が閉じられた状態で表表紙１ａ及び裏表紙１ｂの一方を他方に対してずれるようにスライドさせる解除操作によって、マグネット部４による上記ロックが解除されるように構成され、前記背表紙部２の左右両端側に、上記解除操作を行う解除操作部８を設け、一対の解除操作部８，８を互いに近接する側に傾斜させたたことを特徴としている。
【０００７】
第２に、表表紙１ａ及び裏表紙１ｂを有する表紙部１と、表表紙１ａ及び裏表紙１ｂが開閉可能に連結される背表紙部２と、表表紙１ａと裏表紙１ｂとが互いに対向するように折畳まれた閉姿勢をロックするマグネット部４とを備えたファイルにおいて、前記背表紙部２は、上記表紙部１が閉じられた状態で表表紙１ａ及び裏表紙１ｂの一方を他方に対してずれるようにスライドさせる解除操作によって、マグネット部４による上記ロックが解除されるように構成され、前記表紙部１は、少なくとも板状の発泡スチロールからなる芯材１３と、該芯材１３よりもクッション性の高いクッション層１６とを備えた積層構造とし、前記芯材１３に形成した収容部１３ａにマグネット６を収容することにより、前記マグネット部４を形成したことを特徴としている。
【０００８】
第３に、前記マグネット部４は、閉姿勢の表表紙１ａ及び裏表紙１ｂを、開閉端側の内面側でロックするように設けたことを特徴としている。
【０００９】
第４に、前記マグネット部４は、閉姿勢の表表紙１ａと裏表紙１ｂとを、一方側の表紙部１の外面側でロックするように設けたことを特徴としている。
【発明の効果】
【００１０】
前記表紙部は、閉姿勢で対向配置された表表紙と裏表紙とをずらすようにスライドさせる解除操作をすることにより、マグネット部によるロックを解除できるため、マグネット部による吸着を直接力任せに分離させるものと比較して、解除操作をスムーズ且つ容易に行うことができる。
【００１１】
また、前記背表紙部には、解除操作の操作を行う解除操作部が設けられたものによれば、解除操作を行うための操作部を別途に形成する必要がないため、コストを低く抑えることができる。
【００１２】
また、前記解除操作部は、背表紙部の左右両端に設けられており、一対の解除操作部が互いに近接する側に傾斜されたものによれば、一対の解除操作部を片手で摘むように把持し易くなるため、閉姿勢からの解除操作をより容易に行うことができる。
【００１３】
なお、前記マグネット部は、閉姿勢の表表紙及び裏表紙を、開閉端側の内面側でロックするように設けたものによれば、閉姿勢で対向配置される表表紙と裏表紙とをスライドさせて位置関係をずらすことによって、容易にマグネットによるロックを解除させることができる。
【００１４】
前記マグネット部は、閉姿勢の表表紙と裏表紙とを、一方側の表紙部の外面側でロックするように設けたものによれば、表紙部の一方側が、表紙部の他方側の端部を挟持するように延設されて、閉姿勢時に、開閉端側を覆うようにして閉じるものであっても、閉姿勢のロック・ロック解除をスムーズに行うことができる。
【００１５】
また、前記表紙部は、板状の発泡スチロールを芯材として設けた積層構造としたものによれば、表紙部に剛性を持たせつつ、ファイル全体を軽量化できる。
【００１６】
また、前記芯材に形成した収容部にマグネットを収容することにより、前記マグネット部を形成したものによれば、マグネット部が表紙部内に収容される。
【００１７】
なお、前記表紙部は、左右外側の面に、芯材よりもクッション性の高いクッション層を形成したものによれば、ファイルの表紙部間に収容された収容物が外力によって破損することを効率的に防止できる。
【図面の簡単な説明】
【００１８】
【図１】本発明のファイルを示す全体斜視図である。
【図２】ファイルの平面図である。
【図３】ファイルの正面図である。
【図４】Ａ−Ａ断面図である。
【図５】解除操作部を示した表紙部の要部平面図である。
【図６】解除操作部によるロック解除操作を示した表紙部の要部平面図である。
【図７】ファイルの開状態を示した平面図である。
【図８】（Ａ）及び（Ｂ）は、マグネット部の別実施例を示した正面図である。
【図９】本発明を適用したファイルの別実施例のモデルを示した平面図である。
【発明を実施するための形態】
【００１９】
以下、本発明を適用したファイルについて説明する。図１は、本発明のファイルを示した全体斜視図であり、図２（Ａ）及び（Ｂ）は、ファイルの開閉を示した平面図である。図より、本ファイルは、表表紙１ａ及び裏表紙１ｂを有する表紙部１と、表表紙１ａと裏表紙１ｂとが開閉可能に連結される背表紙部２とを備えている。
【００２０】
前記表紙部１は、方形状に形成された表表紙１ａと、裏表紙１ｂとからなり、０．５ｍｍ〜１０ｍｍ程度の厚みと、一定の弾力性と剛性を有する素材によって形成されている。また、該表紙部１は、単一の素材に限られず、複数の素材を積層したものであっても良い。該表紙部の具体的な構成例については後述する。
【００２１】
また、該表表紙１ａ及び裏表紙１ｂは、互いが対向するように前記背表紙部２を介して二つに折畳まれた閉姿勢に切換られるように連結されている。また、該表表紙１ａ及び裏表紙１ｂには、閉姿勢の際に他方側の表紙と対向する内面側に設けた内ポケット３と、表表紙１ａと裏表紙１ｂとを閉姿勢で保持（ロック）するマグネット部４とを有している。
【００２２】
上記内ポケット３は、図１に示されるように、表表紙と裏表紙の内面側に、背表紙側と反対の端部となる開閉端側の半部を覆うシート体である、ポケットカバー３ａが取付けられて構成されている（図１参照）。
【００２３】
具体的に説明すると、前記ポケットカバー３ａは、ヒートシールその他の手法により、表紙部１（表表紙、裏表紙）内側の開閉端側の全体と、上下端側とがコ字状に表紙部内面側に溶着されることによって、ポケットカバー３ａの背表紙側端部が開口部３ｂとなる内ポケット３が形成されている（図１及び図４参照）。
【００２４】
該構成の内ポケット３によれば、前記開口部３ｂから印刷物その他のシート状のものが表紙部１の内面に沿って差込み収容できる構造になっている。
【００２５】
上記マグネット部４は、図２及び図３に示されるように、開閉端側の上側に配置され、閉姿勢に切換えられた表表紙１ａと、裏表紙１ｂとが互いが吸着するように設けられた一対のマグネット６，６により構成されており、一対のマグネット６，６が引合う力によって、ファイルの閉姿勢が保持（ロック）されるように構成されている。
【００２６】
具体的に説明すると、該マグネット部４は、表紙部１に内装される一対のマグネット６，６（磁石）によって構成されており、表紙部１の一方側に、内側にＮ極を向けた状態のマグネット６が内装され、表紙部１の他方側に、内側にＳ極を向けた状態のマグネット６が内装されている。なお、該マグネット部４は、表紙部１の一方側にマグネット６を内装し、表紙部１の他方側にマグネット６を引寄せる素材（鉄等）からなる吸着体を内装した構成としても良い。マグネット６を表紙部１内に内装する具体的な構成については後述する。
【００２７】
前記背表紙部２は、外面側に見出し等を設けることができる背表紙１０と、該背表紙１０の内面側に取付けられて、捲り開き可能に設置される複数の袋状シート７と、該背表紙１０の左右両端に設けられて前記マグネット部４により閉姿勢でロックされた表紙部１（ファイル）のロックを解除するロック解除操作（解除操作）を実行するための解除操作部８とを有している。
【００２８】
上記袋状シート７は、全体が０．１ｍｍ程度の厚みのポリプロピレン等からなる透明なプラスチックフィルムからなり、背表紙部２側となる左右端、若しくは上端側に開口部を有し、該開口部以外の各辺をヒートシールすることで袋状に形成されている。これにより、印刷物その他のシート状又は冊子状の書類が、開口部より挿脱収納される。
【００２９】
また、各袋状シート７は、見開き状態で左側用と右側用が１枚のフィルム芯材で連設されるように一体形成されており、その左右の表裏の両側に別のシート材を被せるように一対の袋状部が形成されている。そして一対の袋状シートが複数枚重ね合わされて、その中央でフィルム本体の背表紙裏側にヒート圧着されている。
【００３０】
上記解除操作部８は、背表紙１０（背表紙部２）の左右両端側が平面視で互いに近接する方向に傾斜する操作面（傾斜面）であって、その背表紙１０側には、該操作面が形成されるように屈曲するための第１ヒンジ部１１が設けられ、その表紙部１側には、前記表表紙１ａ又は裏表紙１ｂを開閉可能に連結する第２ヒンジ部１２が設けられている（図２等参照）。
【００３１】
特に、一対の該解除操作部８，８（操作面）は、使用者が摘むようにして把持可能に形成されており、傾斜している該解除操作部８を押し（又は引き）操作することで、閉姿勢でロックされた表紙部１のロックを解除することができる。該解除操作部８を用いたロック解除操作の具体例については、後述する。
【００３２】
すなわち、前記背表紙部２は、その両端側の解除操作部８，８が第１ヒンジ部１１によって屈曲されることによって、全体が平面視で三角形状（台形状）に形成されている。また、その解除操作部８の端部側に配置された一対の第２ヒンジ部を介して、表表紙１ａ及び裏表紙１ｂ（表紙部）が開閉可能に連結されている（図１及び図２参照）。
【００３３】
次に、図４に基づいて、表紙部の構造について説明する。図４は、表紙部の断面形状を示したＡ−Ａ断面図である。
【００３４】
前記表紙部１は、図示されるように、発泡スチロールを方形板状にカットして用いられる厚さ２〜３ｍｍ程度の芯材１３と、該芯材１３の内面側に配置される厚さ１ｍｍ程度の画用紙等からなる内面層１４と、芯材１３の外面側に配置されるポリエチレン等からなるクッション層１６と、芯材１３とクッション層１６との間に配置された仕切用の紙（以下、仕切層１７）とを重ねることで積層体を構成し、該積層体をシート状のビニール体１８で外装することによって形成されている。
【００３５】
このとき、該ビニール体１８は、外面側をカバーする外カバー体１８ａと、内面側をカバーする内カバー体１８ｂとで挟むようにして積層体全体をカバーし、表紙部１の外周面側の固定部１８ｃに沿って両カバー体をヒートシール等によって固着することによって積層体を外装する。このとき、該固定部１８ｃに前記ポケットカバー３ａも取付けられる（図４参照）。
【００３６】
また、前記芯材１３として用いた発泡スチロールには、前記マグネット６が埋め込まれるようにして収容される収容孔１３ａ（収容部）が形成されている。このとき、芯材１３に形成された収容孔１３ａは、マグネット６が収容された状態で、前記内面層１４と、前記仕切層１７とによって塞がれている。これにより、マグネット６は、芯材１３の収容部１３ａ内に収容されたうえで、ビニール体１８によって外装されるため、表紙部１の外周面からは視認されず、触ってもマグネット６の位置を確認し難くなる。
【００３７】
該構成の表紙部１によれば、芯材１３として方形状板状の発泡スチロールを用いたことによって、容易且つ安価に剛性を確保できるとともに、ファイル全体を軽量化することができる。また、該表紙部１は、芯材１３の外面側にクッション層１６を設けたことにより、ファイルに収容された収容物に傷がついたり、外力によって破損したりする事態を効率的に防止できる。
【００３８】
さらに、該表紙部１は、その外周面がビニール体１８によって外装されるため、色やデザインの変更や、表面へのエンボス加工等を容易且つ安価に行うことができる。
【００３９】
次に、図５乃至図７に基づいて、前記マグネット部によって閉姿勢でロックされたファイルのロック解除操作について説明する。図５は、解除操作部を示した表紙部の要部平面図であり、図６は、解除操作部によるロック解除操作を示した表紙部の要部平面図であり、図７は、ファイルの開状態を示した平面図である。
【００４０】
図５に示されるように、前記背表紙部２は、その両端側が前記第１ヒンジ部１１で屈曲されることで互いが近接する側に傾斜した解除操作部８，８が形成されているため、使用者は、両端が折り曲げられて平面視で三角形状に形成された背表紙部２を片手で摘むように把持することができ、解除操作部８の一方側（又は両方側）を押し（又は引き）操作することによって、表表紙１ａ又は裏表紙１ｂの一方側（若しくは両方）を、前記閉姿勢時の対向状態を保ったままずらすようにスライドさせる、ロック解除操作をすることができる。
【００４１】
該ロック解除操作がされると、前記ファイルは、背表紙部２の第１ヒンジ部１１の一方側を折目として二つ折にされたロック解除状態に切換えられる。言い換えると、該ロック解除操作がされると、前記背表紙部２は、左右の第１ヒンジ部１１，１１が屈曲された平面視三角形状から、一方側の第１ヒンジ部１１で折り曲げられた二つ折状となるロック解除状態に切換えられる（図６参照）。
【００４２】
これにより、図６に示されるように、ロック解除操作がされてロック解除状態に切換えられると、表表紙１ａ及び裏表紙１ｂは、その一方側（折目となった第１ヒンジ部１１を有する解除操作部８に連結された側の表紙部１）が、対向状態を保持したまま背表紙部２側へとスライド移動する。これによって、表表紙１ａ及び裏表紙１ｂの開閉端側に設けられた前記マグネット６，６は、前記閉姿勢によって、互いに吸引する力が作用していた位置（ロック位置）から、互いに吸引する力が作用しない位置（ロック解除位置）へと移動されるため、前記マグネット部４によるロックが解除される。
【００４３】
ちなみに、表表紙１ａと裏表紙１ｂに内装された一対のマグネット６，６は、互いを吸着させる方向の力は作用するところ、表紙部１のスライド操作を阻害する力は作用しないため、使用者は、前記解除操作部８によるロック解除操作に大きな操作力を必要とせず、スムーズにロック解除操作を行うことができる。
【００４４】
以上より、前記マグネット部４による閉姿勢のロック状態が解除されると、ファイルを閉姿勢で保持する力がなくなるため、表紙部１の開操作をスムーズに行うことができる（図７参照）。
【００４５】
次に、図８に基づいて、本ファイルの別実施例について、上述と異なる点について説明する。図８（Ａ）及び（Ｂ）は、マグネット部の別実施例を示した正面図である。
【００４６】
前記マグネット部４は、図示されるように、表表紙１ａ及び裏表紙１ｂの開閉端側の上下にそれぞれマグネット６，６を配置した構成であっても、表表紙１ａ及び裏表紙１ｂの開閉端側の上下方向に亘って延設された帯状のマグネット１９を配置した構成であっても良い。
【００４７】
該構成によれば、表表紙１ａと裏表紙１ｂを閉じた閉姿勢でのロックをより強固にできるため、より重いものを収容した場合であっても閉姿勢を維持できる。また、この例であっても、前記解除操作部８を用いて一方側の表紙部１をスライド操作することによって、マグネット部４によるロックは解除されるため、ロック解除操作は同様にスムーズに行うことができる。
【００４８】
次に、図９に基づいて、本ファイルの別実施例について、上述と異なる点について説明する。図９は、本発明を適用したファイルの別実施例のモデルを示した平面図である。
【００４９】
図示されるように、本ファイルは、表表紙１ａ及び裏表紙１ｂを有する表紙部１と、表表紙１ａと裏表紙１ｂとが開閉可能に連結される背表紙部２と、前記表紙部１が閉じられた状態で表表紙１ａが裏表紙１ｂを挟むことができるように開放端側が延設された延設部２０とを備え、該延設部２０の開閉端側と、裏表紙１ｂの外面側とが互いに吸着されることで閉姿勢をロックする前記マグネット部４とが設けられている。
【００５０】
具体的に、前記延設部２０は、表表紙１ａと裏表紙１ｂとの開放端側を覆うカバー部２１と、裏表紙１ｂを挟むようにして裏表紙１ｂの外面側と対向する挟持部２２と、該カバー部２１の両端側で、表表紙１ａ及び延設部２２とを回動可能に連結するヒンジ部２３，２３とから構成されている。
【００５１】
該構成のファイルにおいても同様に、前記解除操作部８を介して前記ロック解除操作をすることにより、マグネット部４の吸着力による延設部２０（挟持部２２）と裏表紙１ｂ側とのロックが解除される。
【００５２】
なお、前記延設部２０は、図示する例では、裏表紙１ｂの中途部まで延設されているが、裏表紙１ｂの開閉端側近傍まで短くしても、裏表紙１ｂの背表紙部２側まで長くしても良い。さらに、該延設部２０は、裏表紙１ｂの開放端側を延設することによって形成し、該延設部２０で、表表紙１ａを裏表紙１とともに挟むような構成としても良い（図示しない）。
【符号の説明】
【００５３】
１ａ  表表紙
１ｂ  裏表紙
１    表紙部
２    背表紙部
４    マグネット部
６    マグネット
８    解除操作部
１３    芯材
１３ａ  収容部